(57)【要約】【課題】移動しているところ自動的に転向でき、支持台面から落ちることを免れるマウスを提供すること。【解決手段】本発明に係るマウスは、本体と、モーターと、複数のローターと、コントローラーと、複数のセンサーと、を備える。モーターは、複数のローターを支持台面上で運動させるように駆動する。コントローラーは、モーターに電気的に接続され、且つモーターを制御してローターを回転させることにより、マウスを誘導して運動する。複数のセンサーは、それぞれコントローラーに電気的に接続されて、マウスが支持台面の辺縁に運動されたかどうかを検知してから、検知結果信号をコントローラーに伝送する。コントローラーは、検知結果信号に基づいてモーターを制御して、ローターを転向させるか又はローターを元の運動方向に沿って継続的に運動させるように駆動する。【選択図】図１
2011248867.tif 000002
【特許請求の範囲】
【請求項１】
本体と、モーターと、複数のローターと、コントローラーと、複数のセンサーと、を備えてなるマウスであって、
前記モーターは、複数の前記ローターを支持台面上で運動させるように駆動し、
前記コントローラーは、前記モーターに電気的に接続され、且つ前記モーターを制御して前記ローターを回転させることにより、前記マウスを誘導して運動させ、
複数の前記センサーは、それぞれ前記コントローラーに電気的に接続されて、前記マウスが前記支持台面の辺縁に運動されたかどうかを検知してから、検知結果信号を前記コントローラーに伝送し、
前記コントローラーは、前記検知結果信号に基づいて前記モーターを制御して、前記ローターを転向させるか又は前記ローターを元の運動方向に沿って継続的に運動させるように駆動することを特徴とするマウス。
【請求項２】
前記マウスは、下部ケーシングを備え、複数の前記ローターはそれぞれ前記下部ケーシングに回転可能に装着され、且つ複数の前記ローターは前記下部ケーシングの外表面から部分的に露出することを特徴とする請求項１に記載のマウス。
【請求項３】
２つの前記ローターは、１つの連接軸を介して連接され、前記モーターは、変速歯車アセンブリを介して前記連接軸の中部に駆動力を印加して、前記連接軸の両端に位置する２つの前記ローターを回転させることを特徴とする請求項２に記載のマウス。
【請求項４】
複数の前記センサーは、それぞれ前記下部ケーシングの周縁に間隔をあけて設けられて、前記マウスを積載する支持台面に向って絶えずに光線を発射し、前記支持台面の異なる反射面が反射光線をフィードバックするまでに必要とする時間に基づいて、異なる反射面から前記センサーの底部までの距離を判断して、前記マウスが前記支持台面の辺縁に運動されたかどうかを判断することを特徴とする請求項３に記載のマウス。
【発明の詳細な説明】
【技術分野】
【０００１】
本発明は、ヒューマンインタラクティブインタフェース領域に関し、特にマウスに関するものである。
【背景技術】
【０００２】
マウスを利用する場合、ユーザーは、通常それを握って支持台面で水平方向に沿って往復に移動して操作するので、ユーザーの腕が疲れ易い。この問題を解決するために、最近、リモコン式のマウスが設計された。即ち、マウスの内部にモーター及びローターを設けて、リモコンで前記モーターを制御することにより、前記ローターを回転させて前記マウスを支持台面で運動させる。これにより、ユーザーの腕の疲労を緩めるばかりでなく、遠距離でマウスを操作することもできる。
【発明の概要】
【発明が解決しようとする課題】
【０００３】
しかし、リモコン式のマウスを使用しているところ、前記マウスが机の辺縁に位置する場合、ユーザーの誤操作により、前記マウスが支持台面から落ちって損なわれる問題がよく発生する。
【０００４】
本発明は、上記の問題点に鑑みてなされたものであり、移動しているところ自動的に転向でき、支持台面から落ちることを免れるマウスを提供することを目的とする。
【課題を解決するための手段】
【０００５】
前記課題を解決するために、本発明に係るマウスは、本体と、モーターと、複数のローターと、コントローラーと、複数のセンサーと、を備える。前記モーターは、複数の前記ローターを支持台面上で運動させるように駆動する。前記コントローラーは、前記モーターに電気的に接続され、且つ前記モーターを制御して前記ローターを回転させることにより、前記マウスを誘導して運動させる。複数の前記センサーは、それぞれ前記コントローラーに電気的に接続されて、前記マウスが支持台面の辺縁に運動されたかどうかを検知してから、検知結果信号を前記コントローラーに伝送する。前記コントローラーは、前記検知結果信号に基づいて前記モーターを制御して、前記ローターを転向させるか又は前記ローターを元の運動方向に沿って継続的に運動させるように駆動する。
【発明の効果】
【０００６】
従来の技術に比べて、本発明に係るマウスは、複数のセンサーにより、前記マウスが支持台面の辺縁に運動されたかどうかを検知する。前記マウスが支持台面の辺縁に運動された場合、前記センサーは、マウスの内部に設けられたコントローラーに感応信号を発送する。前記コントローラーは、前記センサーからの感応信号に基づいて前記モーターを制御して前記ローターを転向させ、前記マウスが支持台面から落ちって損なわれることを防止する。
【図面の簡単な説明】
【０００７】
【図１】本発明の実施形態に係るマウスの部分的な分解図である。
【発明を実施するための形態】
【０００８】
図１に示したように、本発明の実施形態に係るマウス１００は、無線式であり、本体１０と、モーター２０と、前記モーター２０により駆動される複数のローター３０と、前記モーター２０に電気的に接続されるコントローラー４０と、前記コントローラー４０に電気的に接続される複数のセンサー５０と、回路基板６０と、を備える。前記回路基板６０は、前記本体１０の内部に装着され、前記モーター２０及び前記コントローラー４０は、前記回路基板６０に電気的に接続される。前記センサー５０は、前記マウス１００が支持台面の辺縁に運動されたかどうかを検知してから、検知結果を前記コントローラー４０に伝送する。前記コントローラー４０は受信した検知結果に基づいて前記モーター２０を制御して、前記ローター３０を転向させるか又は前記ローター３０を元の運動方向に沿って継続的に運動させるように駆動する。
【０００９】
前記本体１０は、下部ケーシング１１及び前記下部ケーシング１１に着脱可能に被せられる上部ケーシング１３を備える。前記回路基板６０は、前記下部ケーシング１１の底面に固定されている。複数の前記ローター３０は、前記下部ケーシング１１の底面における前記回路基板６０の両端の近傍に設けられ、各々のローター３０は前記下部ケーシング１１の外表面から部分的に露出する（図示せず）。本実施形態において、前記ローター３０の数は、三つであり、２つのローター３０は、連接軸３１を介して前記下部ケーシング１１の一端に回転可能に装着され、他の１つのローター３０は、前記下部ケーシング１１の他端に回転可能に装着される。前記モーター２０が提供した駆動力は、変速歯車アセンブリ７０により前記連接軸３１の中部に印加されて、前記連接軸３１に固定されているローター３０を回転させるとともに、前記コントローラー４０により前記ローター３０の回転速度及び回転方向を制御する。なお、前記ローター３０の数は、四つであることもでき、前記下部ケーシング１１の対向する両端にそれぞれ２つの前記ローター３０を装着する。
【００１０】
複数の前記センサー５０は、それぞれ前記下部ケーシング１１の周縁に間隔をあけて設けられている。本実施形態において、前記センサー５０の数は、三つであり、２つのセンサー５０は、互いに連接する２つの前記ローター３０に隣接して前記下部ケーシング１１の一端の両側に設けられ、他の１つのセンサー５０は、前記下部ケーシング１１の他端に設けられる。前記センサー５０は、光学センサーであることができる。本実施形態において、前記マウス１００が運動する際、前記センサー５０は支持台面に向って絶えず光線を発射し、異なる反射面が光線をフィードバックするまでに必要とする時間に基づいて、異なる反射面から前記センサー５０の底部までの距離を判断して、前記マウス１００が支持台面の辺縁に運動したかどうかを判断する。前記センサー５０は、前記マウス１００が支持台面の辺縁に運動したことを検知すれば、前記コントローラー４０に感応信号を発送する。前記コントローラー４０は、受信した感応信号に基づいて前記モーター２０を制御して、前記ローター３０を転向させるように駆動する。
【００１１】
前記コントローラー４０は、前記モーター２０により前記ローター３０を異なる角度に回転させることができるなら、前記ローター３０を元の運動方向に沿って後退りさせることもできる。
【００１２】
前記マウス１００は、前記本体１０内に設けられる掃除ユニット（図示せず）をさらに備える。前記マウス１００が運動する際、前記掃除ユニットは前記支持台面の塵を吸着する。前記掃除ユニットは、互いに連通する掃除機８０及び濾過器９０を備える。前記モーター２０は、前記掃除機８０に連接されて、前記掃除機８０に駆動力を提供して、前記掃除機８０内のインペラ（図示せず）を回転させて、前記掃除機８０内の空気を高速的に排出する。このようにして、前記掃除機８０の内部と前記本体１０の外部との間には負圧差が形成され、この負圧差によって、前記掃除機８０が塵を帯びる空気を吸入する。前記濾過器９０は、前記掃除機８０が吸入した空気の中の塵を濾過してから、清潔な空気を排出して、前記支持台面をきれいにする。
【００１３】
本発明によれば、前記センサー５０により、前記マウス１００が支持台面の辺縁に運動されたかどうかを検知する。前記マウス１００が支持台面の辺縁に運動された場合、前記センサー５０は、前記コントローラー４０に感応信号を発送する。前記コントローラー４０は、前記センサー５０からの感応信号に基づいて前記モーター２０を制御して前記ローター３０を転向させ、前記マウス１００が支持台面から落ちって損われることを防止する。
【００１４】
以上、本発明の好適な実施形態について詳細に説明したが、本発明は前記実施形態に限定されるものではなく、本発明の範囲内で種々の変形又は修正が可能であり、該変形又は修正も又、本発明の特許請求の範囲内に含まれるものであることは、いうまでもない。
【符号の説明】
【００１５】
１０        本体
１１        下部ケーシング
１３        上部ケーシング
２０        モーター
３０        ローター
３１        連接軸
４０        コントローラー
５０        センサー
６０        回路基板
７０        変速歯車アセンブリ
８０        掃除機
９０        濾過器
１００      マウス
【図１】
2011248867.tif 000003